(57)【特許請求の範囲】
【請求項１】
原稿読取面に載置された原稿の画像、及び、前記原稿読取面の上部に配置された自動原稿送り装置から搬送された原稿の画像を読み取る画像読取部と、
所定サイズの複数の記録紙を積層状態で収容する給紙カセットと、
前記画像読取部で読み取られた画像を、前記給紙カセットから供給される記録紙に記録する画像記録部と、を備えた画像処理装置であって、
前記給紙カセットは、前記原稿読取面に載置して読み取り可能な原稿の最大原稿サイズと同じ第１のサイズまでの大きさの記録紙を収容可能な第１の給紙カセットと、前記最大原稿サイズよりも大きな第２のサイズまでの大きさの記録紙を収容可能な第２の給紙カセットと、を少なくとも備え、前記原稿読取面は、読取最大主走査長を有する辺と読取最大副走査長を有する辺とによって規定されており、前記第１の給紙カセット内に収容された前記第１のサイズの記録紙と前記第２の給紙カセット内に収容された前記第２のサイズの記録紙は、前記原稿読取面の読取最大主走査長を有する辺と平行な方向における長さが同一であり、前記第２の給紙カセットが、平面視で前記画像読取部及び前記画像記録部を含む装置本体よりも水平方向に且つ前記原稿読取面の読取最大副走査長を有する辺と平行な方向に突出する突出部分を構成し、この突出部分の上部に、前記画像記録部から排出された記録紙を処理するためのフィニッシャー装置が設けられていることを特徴とする画像処理装置。
【請求項２】
前記第２の給紙カセットは、前記画像読取部が前記自動原稿送り装置から搬送された前記最大原稿サイズよりも大きな第２のサイズの原稿の画像を読み取った場合に、前記画像記録部に前記第２のサイズの記録紙を供給可能に構成されていることを特徴とする請求項１に記載の画像処理装置。
【請求項３】
前記原稿読取面は、前記原稿読取面の長手方向が、使用時に使用者が立つ前記画像処理装置の正面から背面へ向かう奥行き方向に沿うように配置されており、
前記突出部分は、前記画像処理装置の正面に向かって前記装置本体の左右方向の一方側に突出していることを特徴とする請求項１又は２に記載の画像処理装置。
【請求項４】
前記第１のサイズはＡ４サイズであり、前記第２のサイズはＡ３サイズであることを特徴とする請求項１乃至３のいずれか１項に記載の画像処理装置。
【請求項５】
前記自動原稿送り装置及び前記フィニッシャー装置は共に、前記装置本体の正面に向かって左右方向の同じ側に配置されていることを特徴とする請求項１乃至４のいずれか１項に記載の画像処理装置。
【請求項６】
前記自動原稿送り装置が、前記装置本体の正面に向かって左右方向の一端側に配置されると共に、前記画像記録部から排出された記録紙を収容するための胴内排出空間が、前記装置本体内の他端側に設けられていることを特徴とする請求項１乃至４のいずれか１項に記載の画像処理装置。
【請求項７】
前記自動原稿送り装置が、前記装置本体の正面に向かって左右方向の一端側に配置されると共に、前記フィニッシャー装置が、他端側に配置されていることを特徴とする請求項１乃至４のいずれか１項に記載の画像処理装置。
【請求項８】
前記自動原稿送り装置は、少なくとも給紙トレイ又は排紙トレイを有し、
前記フィニッシャー装置は、前記給紙トレイ又は前記排紙トレイの原稿載置領域を延長するための延長給紙トレイ又は延長排紙トレイを有することを特徴とする請求項７に記載の画像処理装置。
【請求項９】
前記フィニッシャー装置は、排紙トレイを備え、この排紙トレイは、記録紙の排紙方向の下流側端部が開放されていることを特徴とする請求項８に記載の画像処理装置。
【発明の詳細な説明】
【技術分野】
【０００１】
本発明は、画像処理装置に係り、特にＦＢＳ（Flat Bed Scanner）方式及びＡＤＦ（Automatic Document Feeder）方式によって原稿の画像を読み取り、読み取った原稿の画像を画像記録部によって記録紙に記録（印刷）して排出することが可能な画像処理装置に関する。
【背景技術】
【０００２】
従来、複写機，スキャナ，プリンタ，ファクシミリ等の機能を備えた複合機においては、Ａ３サイズまでの大きさの原稿を画像読取部で読み取り、Ａ３サイズ以下の大きさの記録紙に読み取り画像を印刷出力可能としたタイプ（以下、「Ａ３機」という）が使用されている。Ａ３機では、原稿を載置するための原稿読取面はＡ３サイズに対応した大きさに設定されており、使用者はＦＢＳ方式を用いて最大でＡ３サイズの原稿の画像を画像読取部に読み取らせることができる。また、Ａ３機では、使用者はＡＤＦ（Automatic Document Feeder）を利用して原稿の画像を画像読取部に読み取らせることができる（ＡＤＦ方式）。
【０００３】
また、ＦＢＳ方式によって読み取り可能な最大原稿サイズがＡ４サイズであり、同サイズ以下の大きさの記録紙に印刷出力可能とした複合機も知られている（以下、「Ａ４機」という）。このようなＡ４機は、原稿読取面がＡ４サイズに対応した大きさに設定されている。
【０００４】
オフィス等で使用される原稿及び記録紙は、ほとんどがＡ４サイズであり、Ａ３サイズの原稿及び記録紙は使用される頻度が極めて低い。しかしながら、頻度は低いながらもＡ３サイズの原稿及び記録紙を使用する機会があるので、Ａ３機が比較的よく使用されている。
【０００５】
一方、小規模なオフィスや家庭では、使用頻度の低いＡ３サイズのために、大きな設置面積を要するＡ３機を設置する余裕がない場合がある。したがって、小さな設置面積で済むＡ４機への需要も同様に存在する。
【０００６】
このようなＡ３機及びＡ４機には、画像記録部から排出された記録紙を処理するためのフィニッシャー装置が設けられる場合がある。このフィニッシャー装置により、排出原稿の仕分け、ステープラー留め、孔空け等の処理を行うことができる。
従来のＡ３機にフィニッシャー装置を設ける場合、Ａ３機の設置面積に加えてフィニッシャー装置の設置面積が必要である。このため、装置が更に大型化してしまい、小規模なオフィスや家庭内には導入し難いという問題があった。
【０００７】
これに対して、特許文献１に記載の装置は、フィニッシャー装置を装置内に備えた構成となっている。すなわち、特許文献１の装置では、大サイズの記録紙（例えばＡ３サイズ）を収容する給紙カセットの上に、小サイズの記録紙（例えばＡ４サイズ）を収容する複数の給紙カセットの積層構造と、フィニッシャー装置とが、並列に配置されており、これらの上部に感光ドラムを含む画像記録部が設けられ、さらに画像記録部の上に大サイズの記録紙に対応する原稿読取面が形成されている。このような構成により、特許文献１の装置では、フィニッシャー装置を含めた装置全体の設置面積を比較的小さくすることができる。
【先行技術文献】
【特許文献】
【０００８】
【特許文献１】特開平８−１０６１９２号公報
【発明の概要】
【発明が解決しようとする課題】
【０００９】
ＦＢＳ方式で読み取り可能な複写機能を有する複合機では、記録（印刷）できる最大記録紙サイズが、ＦＢＳ方式で読み取り可能な最大原稿サイズまでであった。例えば、従来のＡ３機及びＡ４機では、それぞれＡ３サイズ，Ａ４サイズが最大記録紙サイズである。このため、最大記録紙サイズをＡ３サイズに設定すると、ＦＢＳ方式で用いる原稿読取面もＡ３サイズに対応した大きさにしなければならなかった。
【００１０】
また、上述のようにオフィス等で使用される原稿及び記録紙は、ほとんどがＡ４サイズである。したがって、従来のＡ３機や特許文献１の装置のように、Ａ３サイズの原稿に対応したＦＢＳ方式用の原稿読取面及び画像読取部を設けることは、Ａ３サイズの原稿読取の頻度を考慮に入れると、製品コストが高くなるという問題があった。
【００１１】
また、特許文献１の装置では、フィニッシャー装置の上に原稿読取面及び画像読取部が設けられるので、フィニッシャー装置の高さが、小サイズ（Ａ４サイズ）の記録紙用の給紙トレイの積層構造の高さに制限される。このため、フィニッシャー装置内に充分な数の排紙トレイを確保できなかったり、フィニッシャー装置の機能が制限されたりするという問題があった。
【００１２】
本発明は、このような課題を解決するためになされたものであり、フィニッシャー装置を備えた画像処理装置において、狭い設置面積を維持しつつ、製品コストを低減し、且つ、フィニッシャー装置に充分な機能を持たせることが可能な画像処理装置を提供することを目的としている。
【課題を解決するための手段】
【００１３】
上記の目的を達成するために、本発明は、原稿読取面に載置された原稿の画像、及び、原稿読取面の上部に配置された自動原稿送り装置から搬送された原稿の画像を読み取る画像読取部と、所定サイズの複数の記録紙を積層状態で収容する給紙カセットと、画像読取部で読み取られた画像を給紙カセットから供給される記録紙に記録する画像記録部と、を備えた画像処理装置であって、給紙カセットは、原稿読取面に載置して読み取り可能な原稿の最大原稿サイズと同じ第１のサイズまでの大きさの記録紙を収容可能な第１の給紙カセットと、最大原稿サイズよりも大きな第２のサイズまでの大きさの記録紙を収容可能な第２の給紙カセットと、を少なくとも備え、この第２の給紙カセットが、平面視で画像読取部及び画像記録部を含む装置本体よりも水平方向に突出する突出部分を構成し、この突出部分の上部に、画像記録部から排出された記録紙を処理するためのフィニッシャー装置が設けられていることを特徴としている。
【００１４】
このように構成された本発明によれば、大きな第２のサイズ（例えばＡ３サイズ）の記録紙を収容する第２の給紙カセットよりも原稿読取面のサイズ（第１のサイズ、例えばＡ４サイズに対応）を小さく設定することにより、第２の給紙カセット上にスペースが生じるので、このスペースにフィニッシャー装置を配置することができる。これにより、装置の設置面積を拡大することなく、装置本体にフィニッシャー装置を併設することができる。
【００１５】
また、本発明では、原稿読取面を第２のサイズよりも小さく設定したことによって、第２のサイズの原稿をＦＢＳ方式によって読み取ることができなくなるが、自動原稿送り装置（ＡＤＦ）を用いることにより、第２のサイズの原稿も読み取ることが可能である。したがって、ＦＢＳ方式で読み取ることができる第１のサイズの原稿を、通常使用する書類のサイズに適合させることにより、通常使用するサイズの書類を処理するときには不便が生じることない。また、ＡＤＦ方式で読み取ることができる第２のサイズの原稿を、通常は頻繁に使用しないサイズの書類に適合させることにより、このサイズの書類も不便なく処理することができる。更には、ＦＢＳ方式に係る画像読取部の構成がコンパクトになるので、製品コストを低減することができる。
【００１６】
また、本発明において好ましくは、第２の給紙カセットは、画像読取部が自動原稿送り装置から搬送された最大原稿サイズよりも大きな第２のサイズの原稿の画像を読み取った場合に、画像記録部に第２のサイズの記録紙を供給可能に構成されている。
このように構成された本発明によれば、ＡＤＦを用いて第２のサイズの原稿の画像を読み取った場合には、第２の給紙カセットから第２のサイズの記録紙を供給して、第２のサイズの記録紙に読取画像を記録することもできる。
なお、本発明において、第２のサイズの原稿を縮小コピーする場合には、第１の給紙カセット又は第２の給紙カセットから所望のサイズの記録紙を供給するように構成することができる。
【００１７】
また、本発明において好ましくは、原稿読取面は、原稿読取面の長手方向が、使用時に使用者が立つ画像処理装置の正面から背面へ向かう奥行き方向に沿うように配置されており、突出部分は、画像処理装置の正面に向かって装置本体の左右方向の一方側に突出している。
このように構成された本発明によれば、装置本体とフィニッシャー装置とを装置の左右方向に併設することができる。
【００１８】
また、本発明において好ましくは、第１のサイズはＡ４サイズであり、第２のサイズはＡ３サイズである。
このように構成された本発明によれば、Ａ３機のサイズでありながら、フィニッシャー装置をも含むことができる。また、高い頻度で使用されるＡ４サイズの書類にＦＢＳ方式が適合しており、低い頻度でしか使用されないＡ３サイズの書類はＡＤＦ方式で読み取ることができるので、読取処理の機能の低下を招くことなく、製品コストを低減することができる。
【００１９】
また、本発明において好ましくは、自動原稿送り装置及びフィニッシャー装置は共に、装置本体の正面に向かって左右方向の同じ側に配置されている。
このように構成された本発明によれば、装置本体の同一側で自動原稿送り装置とフィニッシャー装置からの原稿と記録紙を取り出すことができる。
【００２０】
また、本発明において好ましくは、自動原稿送り装置が、装置本体の正面に向かって左右方向の一端側に配置されると共に、画像記録部から排出された記録紙を収容するための胴内排出空間が、装置本体内の他端側に設けられている。
このように構成された本発明によれば、装置本体のうち、胴内排出空間が形成されていない剛性が高い部分の上部に自動原稿送り装置を配置することができるので、装置全体の剛性を高く維持することが可能となる。
【００２１】
また、本発明において好ましくは、自動原稿送り装置が、装置本体の正面に向かって左右方向の一端側に配置されると共に、フィニッシャー装置が、他端側に配置されている。
【００２２】
また、本発明において好ましくは、自動原稿送り装置は、少なくとも給紙トレイ及び／又は排紙トレイを有し、フィニッシャー装置は、給紙トレイ及び／又は排紙トレイの原稿載置領域を延長するための延長給紙トレイ及び／又は延長排紙トレイを有する。
原稿読取面に対応する第１のサイズの原稿よりも大きな原稿を自動原稿送り装置によって読み取る場合には、読取原稿が装置本体からはみ出るおそれがある。しかしながら、本発明によれば、装置本体から突出する、第２の給紙カセットの突出部分の上にフィニッシャー装置を設けたので、フィニッシャー装置に延長給紙トレイ及び／又は延長排紙トレイを設けることができる。これにより、本発明では、延長給紙トレイ及び延長排紙トレイによって、第１のサイズよりも大きなサイズの原稿を安定的に保持することができる。
【００２３】
また、本発明において好ましくは、フィニッシャー装置は、排紙トレイを備え、この排紙トレイは、記録紙の排紙方向の下流側端部が開放されている。
【発明の効果】
【００２４】
本発明の画像処理装置によれば、狭い設置面積を維持しつつ、製品コストを低減し、且つ、フィニッシャー装置に充分な機能を持たせることができる。
【図面の簡単な説明】
【００２５】
【図１】本発明の第１の実施形態の画像処理装置の正面図である。
【図２】本発明の第１の実施形態の画像処理装置の構成を示す正面側から見た説明図である。
【図３】本発明の第１の実施形態の画像処理装置の構成を示す右側から見た説明図である。
【図４】本発明の第１の実施形態の画像処理装置の平面図である。
【図５】本発明の第１の実施形態の給紙カセットの説明図である。
【図６】本発明の第２の実施形態の画像処理装置の正面図である。
【図７】本発明の第３の実施形態の画像処理装置の正面図である。
【発明を実施するための形態】
【００２６】
以下、添付図面を参照して本発明の実施形態について説明する。
先ず、本発明の第１の実施形態を図１−図５を参照して説明する。図１は画像処理装置の正面図、図２は画像処理装置の構成を示す正面側から見た説明図、図３は画像処理装置の構成を示す右側から見た説明図、図４は画像処理装置の平面図、図５は給紙カセットの説明図である。
【００２７】
図１−図３に示す本実施形態の画像処理装置１は、複写機能，スキャナ機能，プリンタ機能，ファクシミリ機能等を備えた複合機である。本実施形態の画像処理装置１は、Ａ４サイズの原稿の画像の読み取り、及び、Ａ４サイズの記録紙への記録（印刷）に適合されている。図２に示すように、画像処理装置１は、画像読取部１０と、画像記録部２０と、原稿送出部３０と、給紙部４０と、排出部５０と、操作部６０と、フィニッシャー装置７０を備えている。また、図１に示すように、画像読取部１０の一部，画像記録部２０，給紙部４０の一部，排出部５０は、略直方体の形状の筐体（装置本体）２内に収容されている。
操作部６０は、原稿サイズ，記録紙サイズ，拡大縮小倍率，複写枚数，ＦＡＸ番号等を入力及び表示するための操作パネルである。
【００２８】
画像読取部１０は、原稿の画像を読み取るためのものであり、図２に示すように、原稿載置板１１と、原稿載置板１１を覆う原稿台カバー１２と、原稿載置板１１の下部に配置された原稿読取ユニット１３を備えている。
【００２９】
原稿載置板１１は、ＦＢＳ方式によって原稿を読み取る際に原稿をその上に載置するための透明な板状の部材であり、装置本体２の最上面に配置されている。原稿載置板１１の原稿載置面が原稿読取面１１ａ（図４参照）であり、最大でＡ４サイズの原稿を読み取り可能とする大きさに適合されている。本実施形態では、原稿載置板１１は、平面視で矩形であり、短辺が左右方向（Ａ方向）に平行に配置され、長辺が奥行き方向（図４のＢ方向）に平行に配置されている。
【００３０】
原稿台カバー１２は、装置本体２の上部に配置されている。原稿台カバー１２は、原稿載置板１１上に載置された原稿を原稿載置板１１との間に固定状態で挟み込むように構成されており、装置本体２の上面の背面側端部に設けられたヒンジ（図示せず）を回動中心として回動可能となっている。
【００３１】
なお、本明細書で、複合機１の正面とは図１で示されている側面（すなわち、操作部６０が設けられ、使用者が使用時に立つ側の側面）を意味し、複合機１の背面とは正面に対して反対側の側面を意味する。また、幅方向又は左右方向とは図１における左右方向であり、奥行き方向とは図１における紙面に直交する方向（すなわち、正面から背面に向かう方向）である。また、複合機１の左側及び右側は、それぞれ図１の左側及び右側を意味する。
【００３２】
原稿読取ユニット１３は、装置本体２の最上部にわたって配置されており、原稿に光を照射する光源１４と、原稿からの反射光の光路の経路を変更するミラー１５ａ，１５ｂ，１５ｃと、光源１４及びミラー１５ａ，１５ｂ，１５ｃを読取副走査方向（左右方向Ａ）に移動させる移動機構（図示せず）と、ミラー１５ｃからの光を収束させる集光レンズ１６と、集光レンズ１６からの光に基づいて原稿の画像を読み取る撮像素子（ＣＣＤ）１７を備えている。撮像素子１７で読み取られた画像データは、画像メモリ（図示せず）で記憶される。
【００３３】
本実施形態では、読取処理時に、原稿読取ユニット１３は、原稿のサイズに応じて選択された読取領域内の原稿の画像データを取得する。詳しくは、図示しない制御部からの駆動信号に基づいて、原稿読取ユニット１３は、移動機構によって、載置された原稿の短辺方向の一端側から他端側まで読取副走査方向Ａに沿ってミラー１５ａ及び光源１４を移動させる。この間、移動機構は、ミラー１５ｂ及び１５ｃを、ミラー１５ａの移動距離の半分の距離だけ読取副走査方向Ａに移動させる。
【００３４】
そして、原稿読取ユニット１３は、ミラー１５ａが読取副走査方向Ａに移動する間、載置された原稿の長辺方向の一端側から他端側まで、読取主走査方向（図４の奥行き方向Ｂ）に原稿を単位ピクセル毎に走査し、撮像素子１７によって単位ピクセル毎の部分的な原稿の画像データを取得することを繰り返す。これにより、ミラー１５ａの読取副走査方向Ａへの移動が完了した時点で、多数のピクセルからなる原稿全体の画像データが得られる。
なお、主走査により、原稿の画像の部分を構成する画素（ピクセル）毎の画像データが主走査方向に順次に取得（又は印刷）され、副走査により、主走査の位置が紙送り方向又はスキャナヘッドの送り方向（すなわち副走査方向）に移動される。
【００３５】
なお、本実施形態では、縮小光学方式の読取方式を採用しているが、これに限らず、ＣＩＳセンサを用いた等倍光学方式（密着センサ方式）を採用してもよい。また、本実施形態では、２キャリッジ方式の光学系移動方式を採用しているが、密着センサ方式の場合には１キャリッジ方式を採用することができる。
【００３６】
画像記録部２０は、外周面に光導電膜を有し回転軸２１ａを中心として回動する感光ドラム２１と、この感光ドラム２１の光導電膜を所定電位に一様帯電させる帯電器２２と、感光ドラム２１上に静電潜像を形成する露光器２３と、感光ドラム２１上の静電潜像にトナーを供給して、静電潜像を現像する現像器２４と、トナー画像を感光ドラム２１上から記録紙上に転写させる転写ローラ２５と、記録紙上のトナー画像を加熱定着させる定着ローラ２６と、給紙部４０から記録紙を感光ドラム２１に送り出す給紙ローラ２７ａ，２７ｂ，２７ｃと、記録紙の向きを整えるレジストローラ２８と、記録紙を排出部５０へ排出する排出ローラ２９を備えている。
【００３７】
画像記録部２０は、画像メモリから読み込んだ画像データを記録紙に印刷するように構成されている。画像データには、画像読取部１０で取得された画像データ、送受信装置（図示せず）を介して外部（ファクシミリ、ＰＣ等）から受信した画像データが含まれる。
【００３８】
画像記録部２０は、感光ドラム２１に対して記録紙を記録副走査方向に移動させながら、感光ドラム２１の回転軸２１ａの延びる方向に沿った記録主走査方向における部分的な画像の記録を繰り返すことによって、画像データに基づく全画像を記録紙に記録（印刷）する。
【００３９】
画像記録部２０を構成する上記部品は、後述する胴内排出空間５１を避けるため、現像器２４等を除いて、主に装置本体２内の右側空間に積み上げられるように配置されている。すなわち、装置本体２内の右側に重量物が配置されている。このため、装置本体２は、これら重量物を支持するように、右側の剛性が高くなるように構成されている。
なお、本実施形態では、電子写真方式のプリンタ（レーザスキャン方式又はＬＥＤヘッド方式）を採用しているが、これに限らず、インクジェット方式のプリンタや、サーマルプリンタ等を採用してもよい。
【００４０】
原稿送出部（ＡＤＦ）３０は、複数の原稿を載置可能な給紙トレイ３１と、給紙トレイ３１上の原稿を下流側へ給紙するピックアップローラ３２と、給紙トレイ３１上の原稿を１枚ずつ分離供給する分離ローラ３３と、分離された原稿の向きを整えるレジストローラ３４と、原稿を下流側へ送り出す搬送ローラ３５と、送り出された原稿が上面を通過する幅狭で細長い透明な透光板３６と、排出された原稿を収容する排紙トレイ３７を備えている。原稿送出部３０は、ＡＤＦ（自動原稿送り装置）を構成している。
原稿送出部３０は、主に原稿台カバー１２に一体に取付けられているが、透光板３６は、原稿載置板１１の左側の端部に沿って僅かに離間して配置されている。
【００４１】
給紙部４０は、所定の最大記録紙サイズ（本例ではＡ４サイズ）以下のサイズの複数の記録紙３を積層状態で収容する給紙カセット４１と、上記最大記録紙サイズよりも大きな所定の拡張サイズ（本例ではＡ３サイズ）以下のサイズの記録紙を収容可能な手差しトレイ４３と、最大原稿サイズよりも大きい拡張サイズ（Ａ３サイズ）の大きさの記録紙を収容する第２の給紙カセット４５を備えている。本実施形態では、記録紙３はロール紙ではなく規定のサイズに裁断されたカット紙である。なお、本実施形態では、給紙カセットが２つ設けられているが、これに限らず、より多くの給紙カセットを設けてもよい。
【００４２】
給紙カセット４１は、画像記録部２０の積層配置された構成部品を避けるように、装置本体２内で最下部に配置されている。給紙カセット４１は、装置本体２の正面側から背面側へ向けて装置本体２内へ挿入可能となっている。
また、手差しトレイ４３は、装置本体２の右側に配置されており、収納及び展開可能に構成されている。手差しトレイ４３は、装置本体２内に収容された状態では、装置本体２の右側の側壁の一部を構成する。図２では、手差しトレイ４３は、折り畳まれて装置本体２内に収容された状態である。
【００４３】
第２の給紙カセット４５は、給紙カセット４１の下部に取付けられている。給紙カセット４１は最大原稿サイズであるＡ４サイズまでの大きさの記録紙を収容するが、第２の給紙カセット４５は、最大原稿サイズよりも大きい拡張サイズ（Ａ３サイズ）の大きさの記録紙を収容することができる。したがって、第２の給紙カセット４５は、給紙カセット４１よりもサイズが大きい。
【００４４】
詳しくは、第２の給紙カセット４５は、収納するＡ３サイズの記録紙の短辺方向が装置本体２の奥行き方向Ｂに沿い、長辺方向が装置本体２の左右方向Ａに沿うように記録紙を収容する。したがって、給紙カセット４１及び４５がそれぞれ収納可能な最大サイズの記録紙を収容した状態において、第２の給紙カセット４５内の記録紙３ａの奥行き方向Ｂの長さ（Ａ３の短辺）は、給紙カセット４１内の記録紙３の奥行き方向Ｂの長さ（Ａ４の長辺）と同じである。よって、給紙カセット４１及び４５の奥行き方向Ｂの長さは同じに構成されている。
【００４５】
一方、給紙カセット４１及び４５がそれぞれ収納可能な最大サイズの記録紙を収容した状態において、第２の給紙カセット４５内の記録紙３ａの左右方向Ａの長さ（Ａ３の長辺）は、給紙カセット４１内の記録紙３の左右方向Ａの長さ（Ａ４の短辺）の２倍である。よって、第２の給紙カセット４５の左右方向Ａの長さは、給紙カセット４１の左右方向Ａの長さよりも長い。このため、図１に示された複合機１Ａでは、第２の給紙カセット４５が、給紙カセット４１及び装置本体２よりも平面視で左方向に突出している。フィニッシャー装置７０は、装置本体２よりも左右方向Ａに突出した第２の給紙カセット４５の突出部分４６に載置されている。
なお、本実施形態では、第２の給紙カセット４５は装置本体２とは別体の構成であるが、第２の給紙カセット４５が装置本体２の一部を構成し、且つ、側方に突出する構成であってもよい。
【００４６】
排出部５０は、画像記録部２０で印刷された記録紙を収容するように、装置本体２内に設けられた胴内排出空間５１を有する。この胴内排出空間５１は、縦方向に積層配置された画像記録部２０の左側、且つ、画像読取部１０と給紙カセット４１との間の空間である。そして、胴内排出空間５１は、原稿読取ユニット１３の下側壁５１ａと、画像記録部２０の上側壁５１ｂ及び縦壁５１ｃによって、画像読取部１０及び画像記録部２０から仕切られており、且つ、装置本体２の正面側壁と左側側壁が開放されている。排出部５０は、胴内排出部を構成している。
【００４７】
また、排出部５０の胴内排出空間５１内の上側部分に、中継ユニット５５が取り付けられている。この中継ユニット５５は、図２に示すように、画像記録部２０の排出ローラ２９から排出される記録紙をフィニッシャー装置７０へ搬送するものであり、モータ駆動される複数の搬送用ローラ５６を備えている。
本実施形態の複合機１では、画像記録部２０から排出される記録紙を、胴内排出空間５１へ、又は中継ユニット５５を介してフィニッシャー装置７０へ、選択的に搬送することができるように構成されている。
【００４８】
フィニッシャー装置７０は、画像記録部２０から排出され、中継ユニット５５を介して搬送された記録紙を処理する。フィニッシャー装置７０は、外形略矩形の縦長な筐体７１と、筐体７１内に垂直方向に配列された複数の排紙トレイ７３と、複数の排紙トレイ７３に排紙原稿を振り分ける切替ガイド機構７５を備えている。筐体７１の上面は、装置本体２の上面（すなわち、原稿載置板１１の上面）と略同じ高さに設定されている。
【００４９】
切替ガイド機構７５は、駆動ローラ７５ａと、切替ガイド７５ｂと、各排紙トレイ７３に対応した複数の排出ローラ７５ｃを備えており、これらはモータ駆動される。切替ガイド７５ｂと各排出ローラ７５ｃとの間には搬送経路が形成されている。
【００５０】
フィニッシャー装置７０は、原稿が搬送されてくると、制御部からの駆動信号に基づいて切替ガイド機構７５が作動する。切替ガイド機構７５は、切替ガイド７５ｂが排紙原稿毎に排紙原稿を送り込む搬送経路を切り替えることにより、所望の排紙トレイ７３へ排紙原稿を送り込む。
なお、図１及び図２の実施形態では、理解の容易のため、排紙トレイ７３が２つのみの場合を示したが、これに限らず、３つ又はそれ以上の排紙トレイを備えてもよい。
【００５１】
また、本実施形態では、ＡＤＦ３０が装置本体２の上面の左端部に配置されているが、フィニッシャー装置７０の上部には位置していない。換言すると、ＡＤＦ３０は、少なくとも排紙トレイ７３の上方方向の昇降動作を妨げる位置に配置されていない。したがって、本実施形態では、排紙トレイ７３が固定された高さに維持されるが、これに限らず、多段構成の排紙トレイ７３が上下方向に昇降することにより、排紙原稿を振り分ける構成とすることができる。このような昇降式の振り分け機構を設ける場合、多段構成の排紙トレイ７３のうち、少なくとも上方の排紙トレイ７３が、原稿載置板１１を越えて上方に移動するように構成することができる。
【００５２】
また、本実施形態では、フィニッシャー装置７０は、排出原稿の仕分け機能を備えているが、これに限らず、ステープラー留め、孔空け等の機能を備えたものであってもよい。
【００５３】
次に、図４を参照して、本実施形態の複合機１における読取主走査方向及び読取副走査方向について説明する。
図４に示すように、ＦＢＳ方式で用いる原稿載置板１１と、ＡＤＦ方式で用いる長尺な透光板３６は、装置本体２の最上面を構成しており、互いに並列して配置されている。
【００５４】
原稿載置板１１は、本例ではＡ４サイズの原稿に対応した大きさに適合されており、ＦＢＳ方式での最大読取領域を規定している。すなわち、最大読取領域内で読み取り可能な最大原稿サイズはＡ４サイズである。この最大読取領域は矩形であり、短辺が装置本体２の左右方向Ａと平行であり、長辺が装置本体２の奥行き方向Ｂと平行である。また、図４に示すように、この最大読取範囲は、原稿載置板１１の長辺長さ（読取最大主走査長Ｌｍ）と、原稿載置板１１の短辺長さ（読取最大副走査長Ｌｖ）によって規定されている。
一方、細長い形状の透光板３６は、原稿載置板１１の長辺長さと同じ長さを有しており、原稿載置板１１の長辺に沿って奥行き方向Ｂと平行に配置されている。
【００５５】
上述のように、画像読取部２０のミラー１５ａ及び光源１４は、最大読取範囲を走査可能なように、装置本体２内で左右方向Ａに移動するように構成されている。よって、ＦＢＳ方式における読取副走査方向は方向Ａであり、読取主走査方向は方向Ｂである。
【００５６】
また、ＡＤＦ方式によって原稿が読み取られる場合、原稿送出部（ＡＤＦ）３０によって原稿は、透光板３６上を通過する。このとき、ミラー１５ａ及び光源１４は静止状態で透光板３６の下部に位置しており、画像読取部１０は透光板３６を通して原稿の画像を読み取る。よって、ＡＤＦ方式による読取主走査方向及び読取副走査方向は、それぞれＦＢＳ方式と同様に方向Ｂ及び方向Ａである。
【００５７】
次に、図３及び図５を参照して、本実施形態の複合機１における記録主走査方向と記録副走査方向について説明する。
図５に示すように、給紙部４０の給紙カセット４１は、収容可能な最大記録紙サイズの記録紙３の長辺が装置本体２の奥行き方向Ｂと平行であり、短辺が装置本体２の左右方向Ａと平行であるように記録紙３を収容している。記録紙３は、矢印Ｃで示すように、短辺方向に沿って給紙ローラ２７ａによって画像記録部２０へ給紙される。本実施形態では、最大記録紙サイズは、最大原稿サイズと同じサイズである。
【００５８】
図３に示されているように、画像記録部２０の感光ドラム２１は、その回転軸２１ａが装置本体２の奥行き方向Ｂと平行になるように配置されている。また、回転軸２１ａの延びる方向は、給紙カセット４１に収容された最大記録紙サイズの記録紙３の長辺方向と平行である。
【００５９】
したがって、最大記録紙サイズの記録紙３は、画像記録部２０に供給されるとき、両短辺が進行方向に沿った状態で、一方の長辺側から感光ドラム２１と接触する。そして、記録紙３は、感光ドラム２１と転写ローラ２５との間を通過して画像が転写され、その後定着ローラ２６によって画像が定着される。したがって、給紙カセット４１から送り込まれた最大記録紙サイズの記録紙３は、長辺方向（すなわち、回転軸２１ａの延びる方向）が記録主走査方向であり、短辺方向（すなわち、紙送り方向）が記録副走査方向である。また、記録紙３の記録最大主走査長ｌｍは長辺長さであり、記録最大副走査長ｌｖは短辺長さである。
よって、本実施形態では、読取主走査方向と記録主走査方向が平行に設定されている。
【００６０】
なお、電子写真方式以外の方式を採用する場合、例えばインクジェット方式を採用する場合は、記録時にインクジェットヘッドが移動する方向が回転軸２１ａの延びる方向と一致するので、上記と同様に、最大記録紙サイズの記録紙３の長辺方向が記録主走査方向となる。
【００６１】
なお、図３では第２の給紙カセット４５の図示が省略されているが、第２の給紙カセット４５に収容された記録紙３ａは、制御部の駆動信号によって給紙ローラ２７ｃが作動することにより、第２の給紙カセット４５から取り出されて画像記録部２０へ送り込まれる。
【００６２】
次に、本実施形態の複合機１の作用について説明する。
先ず、使用者がＡ４サイズ（最大原稿サイズ）の原稿をＦＢＳ方式で複写する場合について説明する。この場合、使用者がＡ４サイズの原稿を原稿読取面１１ａに載置し、操作部６０を操作することにより、複写機１は原稿の画像の読取処理、及び、記録処理を実行する。
制御部は、原稿のサイズを原稿サイズセンサ（図示せず）によって判定し、原稿読取ユニット１３を作動させて原稿の画像を読み取り、読み取った画像データを画像メモリに取り込む。
【００６３】
このとき、本実施形態では、読取主走査方向が原稿の長辺に沿っており、読取副走査方向が原稿の短辺に沿っているので、ミラー等を副走査方向に向けて移動させる距離が短くなる。このため、読取処理に掛かる時間を短縮し、迅速に処理を行うことができる。更に、光源１４や移動機構の作動時間（原稿１枚当たり）が短くて済むので、光源１４や機械部品の交換やメンテナンスの頻度を低減することができる。
【００６４】
画像データの取り込みと略同時に、制御部は、画像記録部２０を作動させ、給紙カセット４１からＡ４サイズの記録紙を画像記録部２０へ送り込ませ、記録紙に画像を印刷させる。
このとき、本実施形態では、記録主走査方向が記録紙の長辺に沿っており、記録副走査方向が記録紙の短辺に沿っているので、記録紙が画像記録部２０の感光ドラム２１を通過する時間が短くなる。このため、記録紙が画像記録部２０で処理される時間を短縮し、記録処理を迅速に行うことができる。更に、感光ドラム２１と記録紙との接触時間又は接触長さが記録紙１枚当たりで短くなり、また、駆動機構の作動時間が短くて済むので、感光ドラム２１や駆動機構の交換やメンテナンスの頻度を低減することができる。
【００６５】
本実施形態では、ＦＢＳ方式は、最大原稿サイズ（本例ではＡ４）までのサイズの原稿の画像読取処理に対応している。これは、一般に使用されるほとんどの原稿のサイズが、最大原稿サイズ（Ａ４サイズ）であるからであり、最大原稿サイズを超えるサイズ（例えば、Ａ３サイズ）の原稿の読取処理は、通常不要であるからである。このように、本実施形態では、ＦＢＳ方式による原稿読取処理をＡ４サイズに限定することにより、装置のサイズを小さくすることができる。
【００６６】
上述のように一般に使用される原稿のサイズは、ほとんどがＡ４サイズであるが、低い頻度でＡ３サイズの原稿を複写する必要性が生じる場合がある。この場合、本実施形態の複写機１では、以下に述べるようにＡＤＦ方式によって、Ａ３サイズの原稿の複写を可能としている。
【００６７】
使用者がＡ３サイズの原稿をＡＤＦ方式で複写する場合について説明する。この場合、使用者がＡ３サイズの原稿をＡＤＦ３０の給紙トレイ３１に載置し、且つ、手差しトレイ４３を展開してＡ３サイズの記録紙を手差しトレイ４３に載置した後、操作部６０を操作することにより、複写機１は原稿の画像の読取処理、及び、記録処理を実行する。なお、Ａ３サイズの記録紙は、第２の給紙カセット４５から供給してもよい。
【００６８】
制御部は、原稿のサイズを原稿サイズセンサ（図示せず）によって判定し、ＡＤＦ３０及び原稿読取ユニット１３を作動させて原稿の画像を読み取り、読み取った画像データを画像メモリに取り込む。
画像データの取り込みと略同時に、制御部は、手差しトレイ４３又は第２の給紙カセット４５からＡ３サイズの記録紙を画像記録部２０へ送り込み、画像記録部２０で記録紙に画像を印刷する。
【００６９】
本実施形態では、ＦＢＳ方式によって読み取り可能な最大原稿サイズはＡ４であるが、ＡＤＦ方式によってＡ４サイズよりも大きいＡ３サイズの原稿を読み取ることができ、Ａ３サイズの原稿を手差しトレイ４３から供給されるＡ３サイズの記録紙に複写することができる。したがって、本実施形態では、ＦＢＳ方式で用いられる原稿読取面１１ａのサイズに比べて、より大きなサイズの原稿を複写することができる。すなわち、本実施形態の複合機１は、Ａ３サイズの読取処理に対応しつつ、装置本体２はＡ４サイズに対応したコンパクトなサイズとすることができる。
【００７０】
なお、上記説明では、同一の倍率で原稿から記録紙に複写する場合を説明したが、これに限らず、操作部６０の設定により、拡大又は縮小倍率で複写するように構成してもよい。この場合、本実施形態の複合機１では、給紙カセット４１，４５又は手差しトレイ４３から読取原稿と異なるサイズの記録紙が供給され、この記録紙に拡大又は縮小画像を記録（印刷）することができる。
また、上記説明では、ＡＤＦ方式でＡ３サイズの原稿を読み取る場合について説明したが、これに限らず、最大原稿サイズ（Ａ４サイズ）の原稿を含む他のサイズの原稿をＡＤＦ方式で読み取るように構成することができる。
【００７１】
このように、本実施形態の複合機１は、Ａ４機と同じサイズの原稿読取面１１ａを備えながら、Ａ３機と同様にＡ３サイズまでの大きさの原稿の読み取りを行うことが可能であり、小規模なオフィス等の実情に即して小型化を図りつつ、充分な実用性を備えることができる。
また、本実施形態の複合機１は、Ａ３機との部品の共通化を図ることができるので、製造コストを低減することができる。
【００７２】
また、本実施形態の複写機１は、矩形の原稿読取面１１ａの短辺が装置本体２の左右方向Ａに沿っており、長辺が奥行き方向Ｂに沿っている。そして、読取主走査方向が奥行き方向Ｂに沿い、読取副走査方向が左右方向Ａに沿っている。更に、この読取副走査方向に原稿を送り込むように、ＡＤＦ３０を、装置本体２の左右方向の端部に沿って配置することができる。このように構成されているので、ＡＤＦ３０で紙詰まりが生じた場合、使用者は正面側からＡＤＦ３０に容易にアクセスして紙詰まり状況を解消することができ、良好なメンテナンス性を確保することが可能となる。なお、本例では、ＡＤＦ３０が左端部に配置されているが、右端部に配置してもよい。
【００７３】
なお、原稿読取面１１ａの長辺が装置本体２の左右方向に沿うように構成され、且つ、読取主走査方向が原稿読取面１１ａの長辺方向に設定される場合には、ＡＤＦ３０は、装置本体２の背面側端部に配置されることになる。この場合、ＡＤＦ３０で紙詰まりが生じると、使用者はＡＤＦ３０にアクセスし難く、メンテナンス性が劣悪となってしまう。
【００７４】
また、上記実施形態では、複合機１は、原稿読取面１１ａのサイズがＡ４サイズに適合されているが、これに限らず、原稿読取面１１ａのサイズを他のサイズに適合させてもよい。すなわち、原稿読取面１１ａのサイズを、例えば、Letterサイズ（８．５×１１インチ），Legalサイズ（８．５×１４インチ），Ledgerサイズ（１１×１７インチ），Ｂ４サイズ，Ａ３サイズ等に適合させるように、本実施形態の複写機１を構成してもよい。この場合、いずれのサイズにおいても、原稿読取面１１ａは、記録紙の長辺が奥行き方向Ｂに沿い、且つ、短辺が左右方向Ａに沿うように構成することができる。
なお、上述のように最大原稿サイズがLetterサイズ，Ｂ４サイズであるように構成した場合は、ＡＤＦ方式によって、それぞれLedgerサイズ，Ｂ３サイズの原稿を読み取り可能となる。
【００７５】
また、本実施形態では、最大記録紙サイズ（Ａ４サイズ）よりも大きな拡張サイズ（Ａ３サイズ）の記録紙を収容する第２の給紙カセット４５を設けたことにより、装置本体２から突出する部分４６が生じるが、この突出部分４６にフィニッシャー装置７０を載置することができる。すなわち、本実施形態の複合機１は、Ａ３機と同等な設置面積であるにもかかわらずフィニッシャー装置７０を備えることができる。
したがって、本実施形態の複合機１では、従来のＡ３機のようにフィニッシャー装置を追加することにより、更に設置面積が大きくなることがなく、装置全体をコンパクトに構成することができる。
【００７６】
また、本実施形態の複合機１は、Ａ３機と同等な設置面積であり、Ａ３サイズの原稿の読取処理も行うことができるにもかかわらず、画像読取部１０のサイズをＡ４機と同等のサイズにすることができる。これにより、製造コストを低減することが可能となる。
【００７７】
また、本実施形態の複合機１では、装置本体２と独立したフィニッシャー装置７０を隣接して配置することができるので、フィニッシャー装置７０の高さが装置本体２によって制限されることがない。このため、フィニッシャー装置７０は、高さ制限のために各種機能や排紙トレイの数が限定されることもなく、充分な機能を備えることができる。
【００７８】
また、本実施形態の複合機１では、ＡＤＦ３０とフィニッシャー装置７０が、共に装置本体２の左右方向の同じ側（本例では左側）に配置されているので、装置本体２の同一側でＡＤＦ３０とフィニッシャー装置７０から原稿や記録紙を取り出すことができる。なお、ＡＤＦ及びフィニッシャー装置７０を装置本体２の右側に配置した構成としてもよい。
【００７９】
次に、図６を参照して、第２の実施形態について説明する。
図６に示す複合機１Ａは、装置本体２Ａが、上記実施形態の複合機１の装置本体２（画像読取部１０を除いて）と左右対称に構成されている。排出部５０Ａ，中継ユニット５５Ａも、排出部５０，中継ユニット５５とそれぞれ左右対称に構成されている。
【００８０】
また、同様に、給紙部４０Ａ（給紙カセット４１Ａ，第２の給紙カセット４５Ａ）が、給紙部４０（給紙カセット４１，第２の給紙カセット４５）と左右対称に構成されている。このため、突出部分４６Ａが装置本体２Ａの右側に位置し、フィニッシャー装置７０Ａ（フィニッシャー装置７０と左右対称）も装置本体２Ａの右側に位置する。
【００８１】
本実施形態では、ＡＤＦ３０と排出部５０Ａの胴内排出空間５１Ａとが、装置本体２Ａの左右方向の反対側にそれぞれ配置されている（本例では、ＡＤＦ３０が左側、胴内排出空間５１Ａが右側）。このため、装置本体２Ａの剛性の高い構造体部分の上部にＡＤＦ３０が配置されることになるので、装置全体の剛性を高めることができる。なお、ＡＤＦを右側、胴内排出空間を左側に配置した構成としてもよい。
【００８２】
次に、図７を参照して、第３の実施形態について説明する。
図７に示す複合機１Ｂは、図６に示した複合機１Ａを更に改良したものである。この複合機１Ｂは、フィニッシャー装置７０Ａの筐体７１Ａの上部に延長排紙トレイ３７Ａを備えている。この延長排紙トレイ３７Ａは、ＡＤＦ３０が有する排紙トレイ３７に隣接し、これと連続するように配置されている。延長排紙トレイ３７Ａは、その原稿載置面の傾きが排紙トレイ３７の原稿載置面の傾きと同角度になるように配置されており、排紙トレイ３７の原稿載置領域を延長するように構成されている。
【００８３】
例えば、Ａ３サイズの原稿をＡＤＦ３０で読み込む際に、排紙トレイ３７だけでは排紙されたＡ３サイズの原稿を収容しきれない場合がある。このため、本実施形態では、フィニッシャー装置７０Ａの上部空間を有効利用して、この空間に延長排紙トレイ３７Ａを設けている。これにより、延長排紙トレイ３７Ａによって原稿載置領域が拡大されるので、Ａ３サイズの原稿を確実に収容することができる。
【００８４】
なお、本実施形態では、フィニッシャー装置７０Ａの上に、延長排紙トレイ３７Ａが配置されているが、ＡＤＦ３０の給紙トレイ３１の原稿載置領域を拡大するように延長給紙トレイを更に設けてもよいし、延長排紙トレイ３７Ａ及び延長給紙トレイの一方のみを設けてもよい。
【符号の説明】
【００８５】
１，１Ａ，１Ｂ  画像処理装置（複合機）
２，２Ａ  装置本体
３，３ａ  記録紙
１０    画像読取部
１１ａ  原稿読取面
１３    原稿読取ユニット
２０    画像記録部
２１    感光ドラム
３０    原稿送出部
３６    透光板
４０，４０Ａ  給紙部
４１，４１Ａ  （第１の）給紙カセット
４３    手差しトレイ
４５，４５Ａ  （第２の）給紙カセット
４６，４６Ａ  突出部分
５０，５０Ａ  排出部
５５，５５Ａ  中継ユニット
６０    操作部
７０，７０Ａ  フィニッシャー装置
Ａ    左右方向（副走査方向）
Ｂ    奥行き方向（主走査方向）
【図１】
0005838715.tif 000002
【図２】
0005838715.tif 000003
【図３】
0005838715.tif 000004
【図４】
0005838715.tif 000005
【図５】
0005838715.tif 000006
【図６】
0005838715.tif 000007
【図７】
0005838715.tif 000008